(57)【要約】【課題】アンテナの機能の低下を防止しつつも、筐体の大型化を防止できるセンシング電子機器を提供すること。【解決手段】  本発明の一態様として、センシング電子機器は、筐体と、前記筐体内に配置され、電子部品が搭載された基板と、長手方向の辺と短手方向の辺からなる面形状のアンテナであって、前記長手方向が前記筐体の内面に沿い、且つ前記アンテナの面が前記筐体の内面に対向する姿勢で、前記基板の縁側に配置されたアンテナと、を備える。【選択図】図３
2018056622.tif 000002
【特許請求の範囲】
【請求項１】
筐体と、
前記筐体内に配置され、電子部品が搭載された基板と、
長手方向の辺と短手方向の辺からなる面形状のアンテナであって、前記長手方向が前記筐体の内面に沿い、且つ前記アンテナの面が前記筐体の内面に対向する姿勢で、前記基板の縁側に配置されたアンテナと、
を具備することを特徴とするセンシング電子機器。
【請求項２】
前記筐体内に配置された電池を備え、
前記アンテナは、前記電池と前記内面との間に配置されていることを特徴とする請求項１に記載のセンシング電子機器。
【請求項３】
前記基板に固定され、前記電池を内側に配置した電池ケースを具備し、
前記アンテナは、前記電池ケースに固定された
ことを特徴とする請求項２に記載のセンシング電子機器。
【請求項４】
前記アンテナと前記電池との間に所定の間隔を設ける位置に配置され、前記アンテナが固定されるアンテナ固定部を具備する
ことを特徴とする請求項２又は３に記載のセンシング電子機器。
【請求項５】
前記アンテナ固定部は、前記基板上において、前記基板の縁、及び前記基板上に配置された前記電池の間に配置された
ことを特徴とする請求項４に記載のセンシング電子機器。
【請求項６】
前記筐体は、扁平形状に形成され、一対の端壁部、及びこれら端壁部に連続する周壁部を具備し、
前記アンテナは、その長手方向が前記周壁部の内面に沿う姿勢で且つ前記アンテナの面が前記周壁部の内面に対向する姿勢で配置された
ことを特徴とする請求項１乃至５の何れか１項に記載のセンシング電子機器。
【請求項７】
前記筐体は、扁平形状に形成され、一対の端壁部、及びこれら端壁部に連続する周壁部を具備し、
前記アンテナは、その長手方向が前記周壁部の内面に沿う姿勢で且つ前記アンテナの面が前記周壁部に対向する姿勢で、前記電池と前記周壁部の前記内面との間に配置された
ことを特徴とする請求項２乃至５の何れか１項に記載のセンシング電子機器。
【請求項８】
前記センシング電子機器は、前記筐体の表面の第一の面がユーザに当接されるように当該ユーザに装着され、
前記アンテナは、長手方向が前記筐体の前記第一の面とは異なる第二の面の反対側となる内面に沿い、且つ前記アンテナの面が前記筐体の前記第二の面の反対側となる前記内面に対向する姿勢で、前記基板の縁側に配置される
ことを特徴とする請求項１乃至７の何れかに記載のセンシング電子機器。
【請求項９】
前記第一の面が前記ユーザに当接されるように、前記筐体の表面に設けられた目印を具備する
ことを特徴として請求項８に記載のセンシング電子機器。
【請求項１０】
スピーカ部、コネクタ部、操作部又はユーザに対して前記センシング電子機器に関する情報を報知する報知部が、前記筐体の前記表面において前記第二の面に対して反対側となる面に配置される
ことを特徴とする請求項８に記載のセンシング電子機器。
【請求項１１】
筐体と、
前記筐体内に配置され,電子部品が搭載された基板と、
前記基板の主面において前記基板の縁側に配置された電池と、
前記筐体内において、前記電池が配置された前記縁側の反対側の前記基板の縁側に配置され、アンテナが固定された固定面を有したアンテナ固定部と、
長手方向の辺と短手方向の辺からなる面形状のアンテナであって、前記長手方向が前記筐体の内面に沿い、且つ前記アンテナの面が前記筐体の内面に対向する姿勢で前記アンテナ固定部に固定されたアンテナと、
を具備することを特徴とするセンシング電子機器。
【請求項１２】
筐体と、
前記筐体内に配置され,電子部品が搭載された基板と、
前記基板の主面において前記基板の縁側に配置された電池と、
前記筐体内において、前記電池が配置された前記縁側の反対側の前記基板の縁側に配置され、アンテナが固定された固定面を有したアンテナ固定部と、
一方向に長い形状に形成され、その長手方向が前記筐体の内面に沿う姿勢で前記アンテナ固定部に固定されたアンテナと、
を具備することを特徴とするセンシング電子機器。
【発明の詳細な説明】
【技術分野】
【０００１】
本発明は、筐体、及び筐体内に配置されたアンテナを有したセンシング電子機器に関する。
【背景技術】
【０００２】
全地球測位システム（Global Positioning System: GPS）を利用して、ユーザの位置情報を取得する、ＧＰＳ携帯装置が知られている。ＧＰＳ携帯装置は、その使用時にユーザに携帯される。また、ＧＰＳ携帯装置では、取得した位置情報に基づいて、ユーザの移動距離の測定や、移動経路の検出等をするものもある。
【０００３】
ＧＰＳ携帯装置は、その構成として、筐体、人工衛星が発する電波を受信するアンテナ、位置情報を記憶する等の機能を成す基板及び電子部品、並びに、駆動用の電池を有している。アンテナ、基板、電子部品、及び電池は、筐体内に収容されている。
【０００４】
アンテナは、一般的に、基板が有するグランドの影響により、受信機能が低下することが知られている。グランドは、基板において配線以外の部分に配置されており、金属材料から形成されている。この為、アンテナを、基板に対して起立した形状に形成して基板に電気的に接続することにより、その機能が低下することを防止する技術が知られている。アンテナは、このように形成されることにより、基板から離れた位置に配置されることとなり、その機能が低下することが防止される（例えば、特許文献１、２参照。）。
【先行技術文献】
【特許文献】
【０００５】
【特許文献１】特開２００７−１５８９５７号公報
【特許文献２】特開２００９−１３０９２５号公報
【発明の概要】
【発明が解決しようとする課題】
【０００６】
上述した、基板に対して起立した形状に形成されたアンテナを、ＧＰＳ携帯装置等、ユーザが携帯するセンシング電子機器に用いることには、以下の問題があった。すなわち、ユーザが携帯するセンシング電子機器は、ユーザが携帯しやすくする為に小型化が求められている。ＧＰＳ携帯装置は、ユーザがマラソン等の運動をする際に使用される場合が多い為、特に小型化が求められている。しかしながら、アンテナを基板に対して起立した形状に形成することにより、筐体内にアンテナを配置するスペースを大きく確保する必要が生じ、筐体が大型化する。
【０００７】
そこで、本発明は、アンテナの機能の低下を防止しつつも、筐体の大型化を防止できるセンシング電子機器を提供することを目的としている。
【課題を解決するための手段】
【０００８】
本発明の一態様として、センシング電子機器は、筐体と、前記筐体内に配置され、電子部品が搭載された基板と、長手方向の辺と短手方向の辺からなる面形状のアンテナであって、前記長手方向が前記筐体の内面に沿い、且つ前記アンテナの面が前記筐体の内面に対向する姿勢で、前記基板の縁側に配置されたアンテナと、を備える。
【発明の効果】
【０００９】
本発明によれば、アンテナの機能の低下を防止しつつも、筐体の大型化を防止できるセンシング電子機器を提供することが可能となる。
【図面の簡単な説明】
【００１０】
【図１】本発明の一実施形態に係るＧＰＳ携帯装置を示す斜視図。
【図２】同ＧＰＳ携帯装置の内部を示す斜視図。
【図３】同ＧＰＳ携帯装置の要部を示す断面図。
【図４】同ＧＰＳ携帯装置の要部の変形例を示す断面図。
【発明を実施するための形態】
【００１１】
本発明の一実施形態に係るＧＰＳ携帯装置１０を、図１乃至図４を用いて説明する。ＧＰＳ携帯装置１０は、本発明のセンシング電子機器の一例である。ＧＰＳ携帯装置１０は、全地球測位システム（Global Positioning System: GPS）を利用して、位置情報を取得可能に、かつ、ユーザにより携帯可能に構成されている。図１は、ＧＰＳ携帯装置１０を示す斜視図である。図２は、ＧＰＳ携帯装置１０の内部を示す斜視図である。図３は、ＧＰＳ携帯装置１０の要部を示す断面図である。図３は、具体的には、ＧＰＳ携帯装置１０を、アンテナ１００の長手方向に直交する断面に沿って切断した状態を示している。
【００１２】
図１乃至図３に示すように、ＧＰＳ携帯装置１０は、筐体２０、基板３１を有した基板ユニット３０、外部の装置が接続可能なコネクタ４０、スピーカ５０、筐体２０の表面に配置された操作部６０、電池ケース７０、この電池ケース７０内に配置された電池８０、複数のＬＥＤ（報知部）９０、及びアンテナ１００を有している。本実施形態では、基板ユニット３０、コネクタ４０、スピーカ５０、電池ケース７０、電池８０、ＬＥＤ９０、及びアンテナ１００は、一例として、１つのユニットとして構成されている。
【００１３】
筐体２０は、図１に示すように、例えば扁平形状に形成されている。筐体２０は、図３に示すように、例えば複数の部品から構成されている。筐体２０は、具体的には、その厚み方向の一方部分を構成する、一方に開口した例えば椀型の筐体本体２１、及び筐体本体２１に固定され、筐体本体２１の開口を密閉可能に形成された蓋部材２２を有している。図１は、筐体本体２１に蓋部材２２が固定された状態のＧＰＳ携帯装置１０を示している。図２は、蓋部材２２が取り外された状態のＧＰＳ携帯装置１０を示している。
【００１４】
筐体本体２１は、第１の端壁部２３、及び第１の端壁部２３の周囲からなだらかに立ち上がる第１の周壁部２４を有している。第１の端壁部２３は、一方向に長く、かつ、この一方向に直交する方向に短い面を有する形状に形成されている。これは、基板３１が長方形状に形成されており、この基板３１を内部に配置可能とする為である。また、筐体本体２１は、図３に示すように、蓋部材２２との間に第１の収容空間Ｒ１を形成する収容空間形成部材２５が固定されている。収容空間形成部材２５は、第１の端壁部２３に固定された第２の端壁部２６、及び第２の端壁部２６の周囲から立ち上がる第２の周壁部２７を有している。第２の周壁部２７は、第１の周壁部２４の内側に配置されている。
【００１５】
蓋部材２２は、端壁部２８、及び端壁部２８の周囲からなだらかに立ち上がる周壁部２９を有している。周壁部２９は、筐体本体２１の第１の周壁部２４に係合されている。また、周壁部２９は、収容空間形成部材２５の第２の周壁部２７に係合されている。蓋部材２２及び収容空間形成部材２５の間に第１の収容空間Ｒ１が形成されている。周壁部２９及び第２の周壁部２７の間には、シール部材１１０が設けられている。第１の収容空間Ｒ１は、筐体２０の長手方向に沿って長い空間に形成されている。
【００１６】
このように構成された筐体２０では、蓋部材２２は、例えばねじ部材により、周壁部２９が、第１の周壁部２４及び第２の周壁部２７に係合した状態で、筐体本体２１に固定されている。また、筐体２０は、図１に示すように、コネクタ４０を外部に露出可能な開口２０ａが形成されている。また、筐体２０は、スピーカ５０から発せられた音を効率良く筐体２０の外側に出すための孔やスリット等が形成されている。
【００１７】
基板ユニット３０は、図３に示すように、基板３１、及び基板３１に搭載された電子部品３２を有している。基板３１は、長方形状に形成されている。なお、図３は、ＧＰＳ携帯装置１０を、基板３１の長手方向に直交する断面に沿って切断した状態を示している。基板３１は、その主面３３に配線が施されている。また、基板３１は、配線が施されていない部分に、電気を逃がす為のグランドが設けられている。
【００１８】
電子部品３２は、基板３１の主面３３上に搭載されており、配線に電気的に接続されている。電子部品３２は、例えば、アンテナ１００が受信した電波に基づいてＧＰＳ携帯装置１０の位置情報を検出する機能を有する電子部品や、検出した位置情報を記憶するメモリなどである。なお、電子部品は、これらに限定されない。電子部品としては、ＧＰＳ携帯装置１０に求められる機能を達成する為に必要な電子部品が用いられている。
【００１９】
このように構成された基板ユニット３０は、基板３１の主面３３を、筐体本体２１の第２の端壁部２６に向けた姿勢で、第１の収容空間Ｒ１内に配置されている。また、基板３１は、その長手方向に沿う縁が、第２の周壁部２７において筐体２０の長手方向に沿う部分に対向する姿勢で、かつ、基板３１の短手方向に沿う縁が、第２の周壁部２７において筐体２０の短手方向に沿う部分に対向する姿勢で、第１の収容空間Ｒ１内に配置されている。
【００２０】
コネクタ４０は、図１，２に示すように、その一部が、筐体２０の内側において例えば第１の収容空間Ｒ１内に配置されている。コネクタ４０は、具体的には、基板３１の縁のうち、基板３１の短手方向に沿う縁に対向する位置に配置されている。コネクタ４０は、例えば、ＵＳＢコネクタである。コネクタ４０は、基板３１に電気的に接続されている。なお、コネクタ４０においてＵＳＢが接続される部分は、開口２０ａを通して筐体２０外に露出しており、外部からＵＳＢを接続可能となっている。
【００２１】
スピーカ５０は、筐体２０の内側において、例えば第１の収容空間Ｒ１内に配置されている。スピーカ５０は、具体的には、基板３１の縁のうち、短手方向に沿う縁に対向する位置であって、コネクタ４０に対して反対側の位置に配置されている。スピーカ５０は、基板３１に電気的に接続されている。スピーカ５０は、例えば、取得された位置情報に基づいてＧＰＳ携帯装置１０が特定の標高以上にあることが検出された場合に、周囲に警報するアラームを発することが可能に形成されている。
【００２２】
操作部６０は、図１に示すように、筐体２０の表面に配置されている。操作部６０は、具体的には、筐体２０において、基板３１の長手方向に沿う縁に対向する部分となる、周壁部の表面に配置されている。操作部６０は、ユーザにより操作可能に形成されている。操作部６０は、基板３１に電気的に接続されている。操作部６０は、電源ボタン、ＧＰＳ携帯装置１０を無線で外部装置に接続可能な状態とするスイッチ等を有している。なお、操作部６０は、上述のものに限定されない。操作部６０は、ＧＰＳ携帯装置１０が有する機能等に応じて構成されている。
【００２３】
電池ケース７０は、図３に示すように、基板３１の他方の主面３４上に固定されており、電池８０を内部に収容可能に形成されている。なお、図３、及び後で用いられる図４は、筐体２０の一部が切り欠かれた状態を示しているが、基板３１は、切りかかれていない。電池ケース７０は、例えば鉤状の係合部７５を有している。基板３１には、係合部７５が係合する孔が形成されている。係合部７５が基板３１の孔に係合されることにより、電池ケース７０が基板３１に固定される。
【００２４】
電池ケース７０は、樹脂材料で形成されている。電池ケース７０は、具体的には、主面３４に向かって開口する椀状に形成された本体部７１、及び本体部７１に形成されたアンテナ固定部７２を有している。本体部７１は、基板３１の主面３４との間に第２の収容空間Ｒ２を形成している。第２の収容空間Ｒ２は、電池８０を収容可能な大きさを有している。
【００２５】
本体部７１は、基板３１の短手方向に一方に寄った位置に配置されている。言い換えると、本体部７１は、基板の主面３４において基板３１の長手方向に沿う一方の縁側に配置されている。さらに具体的には、本体部７１は、基板３１の長手方向に沿う縁の近傍に配置されている。この為、本体部７１において基板３１の長手方向に沿う他方の縁の一方との間には、スペースＳが設けられている。これは、基板３１が本体部７１より大きい為である。基板３１は、複数の電子部品３２を搭載する為に、比較的大きい面積を有している。さらに、ＧＰＳ携帯装置１０がより多くの機能を有するようになるにつれて、搭載する電子部品３２の数も多くなる為、基板３１は大きくなる傾向にある。この為、基板３１上には、電池ケース７０の本体部７１の周囲にスペースＳが設けられる。本体部７１が、基板３１の主面３４において基板３１の一方の縁側に配置されることにより、電池８０もこの縁側に配置されることとなる。言い換えると、電池ケース７０は、電池８０を基板３１の主面３４において基板の縁側に配置する為に、上述のように配置されている。
【００２６】
アンテナ固定部７２は、スペースＳに配置されている。アンテナ固定部７２は、基板３１の長手方向に沿う他方の縁、すなわち電池８０が配置された縁側の反対側の縁の近傍まで延びている。また、アンテナ固定部７２の、基板３１の主面３４に直交する方向の高さは、本体部７１の主面３４に対する高さ未満となっている。本実施形態では、主面３４に対するアンテナ固定部７２の高さは、例えば、主面３４に対する本体部７１の高さの、略半分の高さに設定されている。電池８０は、本体部７１及び主面３４の間に形成された第２の収容空間Ｒ２内に配置されている。
【００２７】
アンテナ固定部７２は、アンテナ１００が固定される固定面７３を有している。固定面７３は、アンテナ固定部７２において、蓋部材２２の周壁部２９の内面２９ａに対向する面である。アンテナ１００が、固定面７３に固定されることにより、アンテナ１００は、内面２９ａ及び電池８０の間に配置されることとなる。さらに言い換えると、アンテナ１００は、その長手方向が筐体２０の表面の一部である第１の端壁部２３の表面２３ａとは異なる表面（第二の面）２０ｄの反対側となる内面２９ａに沿い、且つアンテナ１００の面となる主面１０４が筐体２０の内面２９ａに対向する姿勢で、基板３１の縁側に配置されることとなる。固定面７３は、当該固定面７３に固定されたアンテナ１００が、アンテナ１００の長手方向が筐体２０の内面に沿う姿勢となるように、形成されている。
【００２８】
本実施形態では、固定面７３は、蓋部材２２の周壁部２９の内面２９ａに対向している。固定面７３は、当該固定面７３に固定されるアンテナ１００を、内面２９ａに沿う姿勢の一例である内面２９ａに平行となる姿勢とする為に、内面２９ａに平行な面に形成されている。本実施形態では、内面２９ａは、基板３１の主面３４を含む平面に直交する平面に形成されている。この為、固定面７３は、主面３４に直交する平面に形成されている。なお、本実施形態では、固定面７３ａは、図３に示すように、主面３４において基板３１の長手方向に沿う縁３１ａ上に配置されている。
【００２９】
ＬＥＤ９０は、図１，２に示すように、例えば基板３１に電気的に接続されたフレキシブル基板９１に搭載されている。この、フレキシブル基板９１及びＬＥＤ９０の一体物は、電池ケース７０の本体部７１の表面上に配置されている。なお、ここで言う表面は、本体部７１において、蓋部材２２の端壁部２８に対向する面である。蓋部材２２においてＬＥＤ９０に対向する部分は、ＬＥＤ９０が発した光を筐体２０の外部に照射可能とする為に、例えば透明な材料により形成されている。または、蓋部材２２は、全体的に透明な材料で形成されてもよい。尚、このＬＥＤ９０の点灯パターンによりユーザに対してＧＰＳ携帯装置に関する種々の情報、例えば電池残量などを報知する。
【００３０】
アンテナ１００は、ＧＰＳに用いられる人工衛星が発する電磁波を受信可能に形成されている。アンテナ１００は、具体的には、図３に示すように、フレキシブル基板１０１、及びフレキシブル基板１０１に固定されたアンテナ線１０２を有している。
【００３１】
フレキシブル基板１０１は、一方向に長い長方形状に形成されている。これは、アンテナ線１０２が一方向に長い形状に形成されており、このアンテナ線１０２を支持する為である。即ち、アンテナ１００は、長手方向の辺と短手方向の辺からなる面形状のフレキシブル基板１０１にアンテナ線１０２が固定されて成る。このように、フレキシブル基板１０１が長方形状、すなわち、長手方向の辺１０１ａ及び短手方向の辺１０１ｂを有することにより、アンテナ１００は、長手方向の辺及び短手方向の辺からなる面形状に形成されることとなる。アンテナ１００は、フレキシブル基板１０１の長手方向が筐体２０の内面２９ａに沿う姿勢で、フレキシブル基板１０１の一方の主面１０３がアンテナ固定部７２の固定面７３に固定されている。即ち、アンテナ１００は、フレキシブル基板１０１の長手方向が筐体２０の内面２９ａに沿い、且つフレキシブル基板１０１の面が筐体２０の内面２９ａに対向する姿勢では位置されている。
【００３２】
固定面７３は、筐体２０の内面２９ａ、すなわち筐体２０においてアンテナ１００に対向する部分となる内面に、平行な平面に形成されている。この為、アンテナ１００は、その他方の主面１０４が、内面２９ａに沿う姿勢の一例である平行となる姿勢で、内面２９ａ及び電池８０の間に配置されることとなる。
【００３３】
アンテナ線１０２は、その長手方向がフレキシブル基板１０１の長手方向に沿う姿勢で、フレキシブル基板１０１の他方の主面１０４に固定されている。この為、アンテナ線１０２は、その長手方向が、筐体２０の内面２７ａに沿う姿勢で、筐体２０内に配置されることとなる。アンテナ線１０２は、主面１０４において基板３１の主面３４から比較的離れた位置に配置されている。本実施形態では、アンテナ線１０２は、主面１０４において、基板３１の主面３４に対してアンテナ固定部７２よりも高い部分に配置されている。また、アンテナ線１０２は、基板３１よりも蓋部材２２の端壁部２８に近い位置に配置されている。すなわち、アンテナ線１０２は、端壁部２８の内面に沿う姿勢で、この内面及び基板３１の間に配置されることとなる。アンテナ線１０２は、基板３１に電気的に接続されている。
【００３４】
このように構成されたアンテナ１００は、筐体２０内において、筐体２０の内面２９ａと、筐体２０内に配置されたアンテナ１００以外の構成要素との間に配置され、かつ、アンテナ１００の長手方向が内面２９ａに沿う姿勢で配置されることとなる。具体的には、アンテナ１００は、アンテナ線１０２が、電池８０及び内面２９ａの間に、アンテナ線１０２の長手方向が内面２９ａに沿う姿勢で配置されることとなる。さらに、アンテナ１００は、アンテナ線１０２が、蓋部材２２の端壁部２８の内面、及び基板３１の間に、アンテナ線１０２の長手方向が端壁部２８の内面に沿う姿勢で配置されることとなる。なお、本実施形態では、アンテナ１００は、内面２９ａに平行となる姿勢で配置されているが、平行であることに限定されない。
【００３５】
ここで言う、内面２９ａに沿う姿勢とは、筐体２０内に配置されたアンテナ１００以外の構成要素と内面２９ａとの間の隙間に配置可能となる姿勢である。そして、基板３１や電池８０から離れた位置に配置可能となる姿勢である。ここで言う離れた位置とは、アンテナ１００の機能が十分に保たれる位置である。筐体の内面及び他の構成要素の間の隙間が小さくなる場合は、アンテナ１００の姿勢を、筐体の内面に平行または略平行とすることにより、アンテナ１００を筐体２０の内面に近づけて配置することができる。すなわち、アンテナ１００を、基板３１や電池８０から離して配置することができる。この為、アンテナ１００の機能の低下を防止することができる。
【００３６】
このように構成されたＧＰＳ携帯装置１０では、アンテナ１００が、その長手方向が筐体２０の内面２９ａに沿う姿勢で、内面２９ａ及び電池ケース７０のアンテナ固定部７２の間に配置される。この為、アンテナ１００を内面２７ａに近い位置に配置することが可能となるので、アンテナ１００を、基板３１及び電池８０から離して配置することができる。したがって、アンテナ１００の機能が低下することを防止できる。また、アンテナ１００が、その長手方向が内面２７ａに沿う姿勢で配置されることにより、アンテナ１００を内面２７ａ及び電池ケース７０の間の既存の隙間に配置することができる。すなわち、筐体２０内に、アンテナ１００を配置する為のスペースを改めて形成する必要がない。この為、筐体２０の大型化を防止することができる。
【００３７】
このように、本実施形態のＧＰＳ携帯装置１０は、アンテナ１００の機能の低下を防止しつつも、筐体２０の大型化を防止できる。
【００３８】
さらに、アンテナ１００が電池ケース７０のアンテナ固定部７２に固定されることにより、基板ユニット３０、コネクタ４０、スピーカ５０、電池ケース７０、電池８０、ＬＥＤ９０、及びアンテナ１００を、１つのユニットとして構成することができる。この為、ＧＰＳ携帯装置１０を製造際には、筐体２０の筐体本体２１内に、このユニットを配置し、その後、筐体本体２１に蓋部材２２を固定するだけでよい。ＧＰＳ携帯装置１０をこのように製造することができることにより、ＧＰＳ携帯装置１０の製造効率を向上することができる。
【００３９】
また、基板３１に対して小さい電池８０を収容する電池ケース７０に、電池８０から離れる方向に突出するアンテナ固定部７２を形成することにより、基板ユニット３０、コネクタ４０、スピーカ５０、電池ケース７０、電池８０、ＬＥＤ９０、及びアンテナ１００から構成されるユニットを大型化することなく、アンテナ１００を電池８０から離れた位置に配置することができる。この為、アンテナ１００の機能の低下を防止しつつ、ＧＰＳ携帯装置１０の大型化を防止できる。さらに、アンテナ線１０２を、フレキシブル基板１０１において基板３１から離れた部分に配置することにより、アンテナ１００の機能低下を防止できる。
【００４０】
さらに、アンテナ１００を、扁平形状の筐体２０の厚み方向の周囲に配置された周壁部、すなわち、端壁部に連続する周壁部の内面となる内面２９ａに沿う姿勢で配置することにより、アンテナ１００の機能が低下することを防止できる。この点について具体的に説明する。
【００４１】
ＧＰＳ携帯装置１０の筐体２０は、扁平形状に形成されることにより、筐体本体２１の第１の端壁部２３の短手方向に沿う幅、及び蓋部材２２の端壁部２８の短手方向に沿う幅に対して、第１の周壁部２４及び周壁部２９により構成される周壁部の幅（筐体２０の厚み方向に沿う長さ）は小さい。この為、ＧＰＳ携帯装置１０は、第１の端壁部２３または端壁部２８をユーザの体に接触させることにより、ユーザに安定して固定される。
【００４２】
この為、ユーザは、ＧＰＳ携帯装置１０を装着する場合、第１の端壁部２３の外面、または、端壁部２８の外面を体に接触させた状態で、ＧＰＳ携帯装置１０をユーザの体に固定するようになる。なお、本実施形態では、ＧＰＳ携帯装置１０は、ＬＥＤ９０が見える面を体から離して体に固定することを推奨している。ユーザは、ＬＥＤ９０を確認することにより、ＬＥＤ９０に対して反対側の面となる筐体本体２１の第１の端壁部２３の表面２３ａ（第一の面）を体に接触させた状態で、すなわち表面２３ａがユーザに当接されるようにＧＰＳ携帯装置１０を体に固定することができる。すなわち、ＬＥＤ９０は、本発明で言う目印の一例となる。また、上記のようにGPS携帯装置１０を体に固定したときに、ユーザの体に覆われないGPS携帯装置の箇所に、スピーカ５０からの音が出る孔部やコネクタ４０や操作部６０は配置されることになる。
【００４３】
ＧＰＳ携帯装置１０が、第１の端壁部２３がユーザに接触した状態でユーザに固定されることにより、アンテナ１００が対向する周壁部は、ユーザの体により覆われることがない。この為、アンテナ１００の機能が低下することが防止される。
【００４４】
なお、本実施形態では、アンテナ１００は、その構成として、フレキシブル基板１０１及びアンテナ線１０２を有しているが、これに限定されない。他の例として、アンテナ線１０２のみを有する構成であってもよい。この場合においても、アンテナ線１０２が、その長手方向が筐体２０の内面に沿う姿勢で配置されることにより、アンテナ線１０２を、筐体２０の内面に近づけて配置することができるので、同様の効果が得られる。また、アンテナ線１０２を有する構成において、アンテナ線１０２が例えば折り返されることにより、その長手方向に直交する方向に互いに並ぶ複数の線部を有する場合、これら線部が配置される、長手方向辺と短手方向の辺からなる仮想平面を想定することができる。すなわち、フレキシブル基板１０１を有さず、アンテナ線１０２のみを有する構成においても、この仮想平面を有する面形状のアンテナとして考えることができる。このように仮想平面を有するアンテナ１００であっても、その長手方向が筐体２０の内面に沿い、且つアンテナ１００の面が筐体２０の内面に対向する姿勢で、基板３１の縁側に配置されることにより、本実施形態と同様の効果が得られる。  また、本実施形態では、アンテナ１００が、フレキシブル基板１０１を有さず、かつ、アンテナ線１０２が、当該アンテナ線１０２の長手方向に直交する方向に並んで配置される複数の線部を有さない構造の場合においても、このアンテナ１００の長手方向が筐体２０の内面２９ａに沿う姿勢でアンテナ固定部７２の固定面７３に固定されることにより、同様の効果が得られる。
【００４５】
また、本実施形態では、アンテナ１００は、筐体２０の蓋部材２２の周壁部２９の内面２９ａに沿う姿勢で、内面２９ａ及び電池ケース７０の間に配置されているが、これに限定されない。アンテナ１００は、筐体２０の内面の任意の部分に沿う姿勢で、この任意部分及び他の構成要素の間に配置されてもよい。例えば、アンテナ１００は、その長手方向が筐体本体２１の収容空間形成部材２５の第２の端壁部２６の内面２６ａに沿う姿勢で、第２の端壁部２６の内面２６ａ及び基板３１の間に配置されてもよい。
【００４６】
この場合であっても、アンテナ１００が、その長手方向が第２の端壁部２６の内面２６ａに沿う姿勢で配置されることにより、第２の端壁部２６の内面２６ａ及び基板３１の間において、基板３１から離れた位置に配置可能である。また、アンテナ１００を内面２６ａ及び基板３１の間の既存の隙間に配置できる。この為、アンテナ１００の機能低下を防止しつつ、ＧＰＳ携帯装置１０の大型化を防止できる。
【００４７】
このように、アンテナ１００は、その長手方向が筐体２０の内面のいずれの部分であっても、その部分に沿う姿勢で、その部分及び他の構成要素との間に配置されることにより、内面のその部分及び他の構成との間の既存の隙間を利用して配置されるとともに、基板３１及び電池８０から離れた位置に配置されることとなるので、アンテナ１００の機能低下を防止しつつ、ＧＰＳ携帯装置１０の大型化を防止することができる。
【００４８】
さらに、本実施形態では、アンテナ固定部７２は、電池ケース７０と一体に形成されているが、これに限定されない。アンテナ固定部７２は、電池ケース７０とは別体であってもよい。図４は、この変形例を示す断面図である。図４は、図３と同様に、ＧＰＳ携帯装置１０を、アンテナ１００の長手方向に直交する断面に沿って切断した状態を示している。図４に示す変形例では、アンテナ固定部７２は、電池ケース７０と別体に構成され、かつ、基板３１の長手方向に沿う一方の縁、及び電池ケース７０の間のスペースＳに配置されて基板３１に固定されている。このように、高機能化に伴い大型化する基板３１の縁、及び電池ケース７０の間のスペースＳを利用して、アンテナ固定部７２を配置することができる。
【００４９】
また、本実施形態では、アンテナ１００は、基板ユニット３０、電池ケース７０、電池８０等から構成されたユニットに固定されているが、これに限定されない。他の例では、アンテナ１００は、筐体２０の内面に、アンテナ１００の長手方向を当該内面に沿う姿勢で固定されてもよい。即ち、アンテナ１００の機能に悪影響を与えるものから距離が取れる状態であれば、アンテナ１００は、基板ユニット３０と電池ケース７０と電池８０等から構成されたユニットとはなってはおらず、アンテナ１００は、筐体２０の内面にアンテナ１００の長手方向を当該内面に沿う姿勢で固定されてもよい。この場合であっても、アンテナ１００は、その長手方向が筐体２０の内面に沿う姿勢で、かつ、当該内面及び他の構成の間に配置されることとなる。
【００５０】
この例としては、アンテナ１００を、筐体２０の蓋部材２２の周壁部２９の内面２９ａに固定することができる。このように、アンテナ１００が、筐体２０の内面に、アンテナ１００の長手方向がこの内面に沿う姿勢で固定されることにより、アンテナ１００を、基板３１及び電池８０から離れた位置に配置することができるので、アンテナ１００の機能低下を防止しつつ、ＧＰＳ携帯装置１０が大型化することを防止できる。
【００５１】
また、本実施形態では、センシング電子機器の一例として、ＧＰＳ携帯装置１０が説明されたが、センシング電子機器は、ＧＰＳ携帯装置１０に限定されない。センシング電子機器の他の例としては、例えば、時計、カメラがある。また、本実施形態では、アンテナ１００は、内面２９ａ及び電池８０の間に、アンテナ１００の長手方向が内面２９ａに沿う姿勢で配置されている。そして、アンテナ１００は、蓋部材２２の端壁部２８の内面及び基板３１の主面３４の間に、アンテナ線１０２の長手方向が端壁部２８の内面に沿う姿勢で、配置されている。このように、アンテナ１００のアンテナ線１０２は、筐体２０の内面の内の１つの面部と、電池８０及び基板３１の一方との間に配置されているが、これに限定されない。他の例としては、アンテナ１００は、筐体２０内において、その内面と、基板３１及び電池８０の両方との間に配置されてもよい。この例としては、アンテナ１００が、筐体本体２１の第２の端壁部２６の内面２６ａ、及び基板３１の間に配置されてもよい。このように配置されることにより、アンテナ１００は、内面２６ａと、基板３１及び電池８０の間に配置されることとなる。
【００５２】
また、本実施形態では、アンテナ１００は、基板３１の主面３４上において、基板３１の長手方向に沿う縁３１ａ上に配置されている。この為、アンテナ１００は、その面を構成するフレキシブル基板１０１の主面１０４に直交する方向には、内面２９ａ及び基板３１の間に配置されていないが、これには限定されない。他の例では、アンテナ１００は、内面２９ａ及び基板３１の長手方向に沿う縁３１ａの間に配置されてもよい。例えば、アンテナ固定部７２の固定面７３ａが基板３１の長手方向に沿う縁３１ａ上に配置されることにより、基板３１を、内面２９ａ及び縁３１ａの間に配置することができる。
【００５３】
アンテナ１００がこのように配置されても、アンテナ１００は、基板３１の縁側に配置されることとなる。アンテナ１００がこのように配置されることにより、アンテナ１００は、その長手方向が筐体２０の内面２９ａに沿い、且つアンテナ１００の面となる主面１０４が内面２９ａに対向する姿勢で、基板３１の縁側において基板３１及び筐体２０の内面２９ａとの間に配置されることとなる。アンテナ１００は、このように配置されても、内面２９ａ及び電池８０の間に配置されることとなる。
【００５４】
すなわち、アンテナ１００がこのように配置されることにより、下記の発明が達成されることとなる。この発明は、筐体と、前記筐体内に配置され、電子部品が搭載された基板と、長手方向の辺と短手方向の辺からなる面形状のアンテナであって、前記長手方向が前記筐体の内面に沿い、且つ前記アンテナの面が前記筐体の内面に対向する姿勢で、前記基板の縁側に当該基板と前記内面との間に配置されたアンテナと、を具備したセンシング電子機器である。さらに、前記筐体は、扁平形状に形成され、一対の端壁部、及びこれら端壁部に連続する周壁部を具備し、前記アンテナは、その長手方向が前記周壁部の内面に沿う姿勢で且つ前記アンテナの面が前記周壁部の内面に対向する姿勢で、前記基板と前記周壁部の前記内面との間に配置される発明を達成することもできる。  また、本実施形態では、ユーザに対してＧＰＳ携帯装置１０に関する情報を報知する報知部の一例としてＬＥＤ９０が用いられたが、これに限定されない。他の例では、ＬＥＤ以外の光を発する構成要素であってもよい。または、光以外の手段により報知してもよい。
【００５５】
また、本実施形態では、操作部６０が、筐体２０の表面のうち、装着される際にユーザに当接する表面２３ａ以外となる、第１の周壁部２４及び周壁部２９により構成された周壁部の表面（筐体の表面において第二の面に対して反対側となる面）２０ｃに配置されているが、これに限定されない。他の例では、例えば、スピーカ５０、コネクタ４０、又はＬＥＤ９０が配置されてもよい。なお、スピーカ５０が表面２０ｃに配置される場合は、スピーカ５０自体が表面２０ｃに配置されることに限定されない。スピーカ５０が発する音を外部に出す孔等が配置されてもよい。同様に、ＬＥＤ９０のように光により報知する報知部が表面２０ｃに配置される場合は、この報知部が、表面２０ｃ上に配置されることに限定されない。この報知部が発した光を外部に出すための孔、または透明に形成された部分が表面２０ｃに配置されてもよい。
【００５６】
また、本実施形態では、ＬＥＤ９０は、ユーザに装着される際に、筐体２０の第１の端壁部２３の表面２３ａがユーザに当接するようにする為の目印として機能しているが、目印はＬＥＤ９０に限定されない。ＬＥＤ９０以外のものが、上述の目印として用いられてもよい。
【００５７】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００５８】
以下に、本願出願当初の特許請求の範囲に記載された発明を付記する。  
［１］
筐体と、
前記筐体内に配置され、電子部品が搭載された基板と、
長手方向の辺と短手方向の辺からなる面形状のアンテナであって、前記長手方向が前記筐体の内面に沿い、且つ前記アンテナの面が前記筐体の内面に対向する姿勢で、前記基板の縁側に配置されたアンテナと、
を具備することを特徴とするセンシング電子機器。
［２］
前記筐体内に配置された電池を備え、
前記アンテナは、前記電池と前記内面との間に配置されていることを特徴とする［１］に記載のセンシング電子機器。
［３］
前記基板に固定され、前記電池を内側に配置した電池ケースを具備し、
前記アンテナは、前記電池ケースに固定された
ことを特徴とする［２］に記載のセンシング電子機器。
［４］
前記アンテナと前記電池との間に所定の間隔を設ける位置に配置され、前記アンテナが固定されるアンテナ固定部を具備する
ことを特徴とする［２］又は［３］に記載のセンシング電子機器。
［５］
前記アンテナ固定部は、前記基板上において、前記基板の縁、及び前記基板上に配置された前記電池の間に配置された
ことを特徴とする［４］に記載のセンシング電子機器。
［６］
前記筐体は、扁平形状に形成され、一対の端壁部、及びこれら端壁部に連続する周壁部を具備し、
前記アンテナは、その長手方向が前記周壁部の内面に沿う姿勢で且つ前記アンテナの面が前記周壁部の内面に対向する姿勢で配置された
ことを特徴とする［１］乃至［５］の何れか１に記載のセンシング電子機器。
［７］
前記筐体は、扁平形状に形成され、一対の端壁部、及びこれら端壁部に連続する周壁部を具備し、
前記アンテナは、その長手方向が前記周壁部の内面に沿う姿勢で且つ前記アンテナの面が前記周壁部に対向する姿勢で、前記電池と前記周壁部の前記内面との間に配置された
ことを特徴とする［２］乃至［５］の何れか１に記載のセンシング電子機器。
［８］
前記センシング電子機器は、前記筐体の表面の第一の面がユーザに当接されるように当該ユーザに装着され、
前記アンテナは、長手方向が前記筐体の前記第一の面とは異なる第二の面の反対側となる内面に沿い、且つ前記アンテナの面が前記筐体の前記第二の面の反対側となる前記内面に対向する姿勢で、前記基板の縁側に配置される
ことを特徴とする［１］乃至［７］の何れかに記載のセンシング電子機器。
［９］
前記第一の面が前記ユーザに当接されるように、前記筐体の表面に設けられた目印を具備する
ことを特徴として［８］に記載のセンシング電子機器。
［１０］
スピーカ部、コネクタ部、操作部又はユーザに対して前記センシング電子機器に関する情報を報知する報知部が、前記筐体の前記表面において前記第二の面に対して反対側となる面に配置される
ことを特徴とする［８］に記載のセンシング電子機器。
［１１］
筐体と、
前記筐体内に配置され,電子部品が搭載された基板と、
前記基板の主面において前記基板の縁側に配置された電池と、
前記筐体内において、前記電池が配置された前記縁側の反対側の前記基板の縁側に配置され、アンテナが固定された固定面を有したアンテナ固定部と、
長手方向の辺と短手方向の辺からなる面形状のアンテナであって、前記長手方向が前記筐体の内面に沿い、且つ前記アンテナの面が前記筐体の内面に対向する姿勢で前記アンテナ固定部に固定されたアンテナと、
を具備することを特徴とするセンシング電子機器。
［１２］
筐体と、
前記筐体内に配置され,電子部品が搭載された基板と、
前記基板の主面において前記基板の縁側に配置された電池と、
前記筐体内において、前記電池が配置された前記縁側の反対側の前記基板の縁側に配置され、アンテナが固定された固定面を有したアンテナ固定部と、
一方向に長い形状に形成され、その長手方向が前記筐体の内面に沿う姿勢で前記アンテナ固定部に固定されたアンテナと、
を具備することを特徴とするセンシング電子機器。
【符号の説明】
【００５９】
１０…ＧＰＳ携帯装置（センシング電子機器）、２０…筐体、２３…第１の端壁部、２４…第１の周壁部、２６…第２の端壁部、２８…端壁部、２９ａ…内面、３１…基板、３２…電子部品、７０…電池ケース、７２…アンテナ固定部、８０…電池、１００…アンテナ。
【図１】
2018056622.tif 000003
【図２】
2018056622.tif 000004
【図３】
2018056622.tif 000005
【図４】
2018056622.tif 000006